(57)【要約】【課題】簡素な構造で組立て易く、スナップリングの脱落を確実に防止することができるスナップリングの脱落防止構造、及びこれを具える摩擦係合装置を提供すること。【解決手段】摩擦係合装置１０のスナップリングの脱落防止構造４０は、エンドプレート２２ｃの突部２３の内側面２３ａとスナップリング２４の外周面２４ａとの間に、エンドプレート２２ｃとは別体の環状部材４２が設けられるという構成であるから、簡素な構造で組立て易く、スナップリング２４が遠心力によって拡開した場合、スナップリング２４の外周面２４ａがスナップリング当接部４２ａに接し、スナップリング２４のそれ以上の拡開を防ぐことができる。【選択図】図１
2016125503.tif 000002
【特許請求の範囲】
【請求項１】
同軸上に配設された回転軸にそれぞれ設けられ、径方向に互いに向き合う、径方向外側に位置する外側軸方向面を有するドラム及び径方向内側に位置する内側軸方向面を有するハブと、
前記内側軸方向面の外周側にスプライン嵌合し、前記ハブと一体的に回転する押圧手段の側から、少なくとも、プレッシャプレートとエンドプレートを有する相手プレートと、
前記相手プレート同士の間に設けられ、前記外側軸方向面の内周側にスプライン嵌合する摩擦板と、
前記内側軸方向面の外周面上であって、前記エンドプレートの前記摩擦板に対して反対側に周方向に設けられる溝と、
前記溝に嵌込まれ、前記エンドプレートを抜止めするスナップリングを具え、
前記エンドプレートの前記スナップリング側の面の、前記スナップリングに接する部分よりも径方向外側が軸方向に突出して突部を形成している摩擦係合装置において、
前記突部の内側面と前記スナップリングの外周面との間に、スナップリング当接部を有する環状部材が前記エンドプレートに設けられていることを特徴とする、
スナップリングの脱落防止構造。
【請求項２】
前記環状部材が、前記突部の内側面に取付けられている穴用スナップリングで抜止めされることにより前記エンドプレートに設けられている、請求項１のスナップリングの脱落防止構造。
【請求項３】
前記環状部材が、前記エンドプレートに接する径方向面と前記スナップリング当接部とで軸方向断面Ｌ字状を形成している、請求項２のスナップリングの脱落防止構造。
【請求項４】
請求項１から３のいずれかのスナップリングの脱落防止構造を具える、摩擦係合装置。
【発明の詳細な説明】
【技術分野】
【０００１】
本発明は、摩擦係合装置に用いられる、軸用のスナップリング（以下、単に、「スナップリング」ということもある。）の脱落を防止する構造、及びこれを具える摩擦係合装置に関する。
【背景技術】
【０００２】
回転軸に対して入出力する摩擦係合装置において、トルクを伝達するための摩擦板と相手プレートは、摩擦板がハブに構成されている内側軸方向面の外周側に、相手プレートがドラムに構成されている外側軸方向面の内周側に配置されることが構造上好ましいが、レイアウトの制約上、摩擦板をドラムに構成されている外側軸方向面の内周面に、相手プレートをハブに構成されている内側軸方向面の外周面に配置せざるを得ない場合もある。このとき、相手プレートの内、ピストンの反対側に位置するエンドプレートを抜止めするために、軸用のスナップリングが用いられる。スナップリングは、エンドプレートに隣接する位置のハブに構成されている内側軸方向面の外周面上の周方向に設けられた溝に、その弾力によって溝の底面を締付けるように嵌込まれる。しかし、回転軸が回転するとスナップリングに遠心力が作用してスナップリングが拡開し、溝から外れ、内側軸方向面から脱落してしまうという問題が生じ得る。
【０００３】
そこで、スナップリングの拡開を防ぎ、上記問題が生じることを防止するために、様々なスナップリングの脱落防止構造が提案されてきている。その例として、以下に挙げるものがある。
【先行技術文献】
【特許文献】
【０００４】
【特許文献１】特開２００１−２４１４６７号公報
【特許文献２】特開２０１１−１１２１７２号公報
【０００５】
特許文献１には、入力軸の外周側に嵌込まれるキャンセルプレートのスナップリング側に、軸方向に突出する突起を複数設けたというスナップリングの脱落防止構造が開示されている。
【０００６】
特許文献１によれば、キャンセルプレートに設けられた突起の径方向内側面がスナップリングの外周面に当接することによってスナップリングの拡開を防ぐことができるため、スナップリングが回転軸から脱落することを防止することができるとされている。そこで、この技術を適用して、ハブに構成されている内側軸方向面の外周側にスプライン嵌合しているエンドプレートに同様の突起を設けることが考えられる。
【０００７】
しかし、特許文献１に開示されているような突起では、スナップリングの脱落防止機能を確実に得ることができない。何故なら、エンドプレートは、摩擦係合装置が非係合状態で軸方向に移動することがあり、エンドプレートがスナップリングから離れているときに、スナップリングの拡開を突起によって押さえることができない場合があるからである。
【０００８】
一方、上記の事態を防ぐために、突起の軸方向寸法を大きくすることも考えられるが、突起の軸方向寸法を大きくした場合、スナップリングをハブに構成されている内側軸方向面の外周面上に周方向に設けられた溝に嵌込むときにスナップリングと突起が干渉し、スナップリングを取付け難くなる、或いは取付けることができなくなるという問題が生じ得る。
【０００９】
特許文献２には、スナップリングに環状の部品を取付けることによって、スナップリングの拡開を防止したスナップリング脱落防止機構が開示されている。これによれば、エンドプレートの軸方向移動に関わらず、スナップリングの拡開を確実に防止することができる。
【００１０】
しかし、環状の部品に設けられた、狭小部位に差込む爪部によって、当該部品をスナップリングに取付けるという構造であるため、部品形状や要求精度によっては加工が難しく、また、位置合わせや組立上の課題もある。
【発明の概要】
【発明が解決しようとする課題】
【００１１】
そこで、本発明は、前述した従来技術の問題点に鑑み、簡素な構造で組立て易く、スナップリングの脱落を確実に防止することができるスナップリングの脱落防止構造、及びこれを具える摩擦係合装置を提供することをその目的とする。
【課題を解決するための手段】
【００１２】
本発明は、同軸上に配設された回転軸にそれぞれ設けられ、径方向に互いに向き合う、径方向外側に位置する外側軸方向面を有するドラム及び径方向内側に位置する内側軸方向面を有するハブと、
前記内側軸方向面の外周側にスプライン嵌合し、前記ハブと一体的に回転する押圧手段の側から、少なくとも、プレッシャプレートとエンドプレートを有する相手プレートと、
前記相手プレート同士の間に設けられ、前記外側軸方向面の内周側にスプライン嵌合する摩擦板と、
前記内側軸方向面の外周面上であって、前記エンドプレートの前記摩擦板に対して反対側に周方向に設けられる溝と、
前記溝に嵌込まれ、前記エンドプレートを抜止めするスナップリングを具え、
前記エンドプレートの前記スナップリング側の面の、前記スナップリングに接する部分よりも径方向外側が軸方向に突出して突部を形成している摩擦係合装置において、
前記突部の内側面と前記スナップリングの外周面との間に、スナップリング当接部を有する環状部材が前記エンドプレートに設けられていることを特徴とするスナップリングの脱落防止構造、及びこれを具える摩擦係合装置によって前記課題を解決した。
【発明の効果】
【００１３】
本発明では、エンドプレートとは別体の環状部材が突部の内側面とスナップリングの外周面との間に設けられ、その環状部材がスナップリング当接部を有するという構造であるから、簡素な構造であり、簡便に組立てることができる。具体的には、エンドプレートを内側軸方向面の外周側に嵌込んだ後に、スナップリングを内側軸方向面の外周面上に設けられている溝に嵌込み、次いで、環状部材を所定の位置でエンドプレートに設ければよい。このように、スナップリングを取付けた後にスナップリングの拡開を防ぐ環状部材を取付けることができるから、環状部材の軸方向寸法を大きくしても、従来のように、スナップリングを取付け難くなる等の問題は生じない。よって、本構造は、スナップリングの脱落防止機能の信頼性を高めることができる。
【００１４】
また、環状部材が、突部の内側面に取付けられる穴用スナップリングで抜止めされることによりエンドプレートに設けられているという構成とすれば、組立を簡便に行うことができる。
【００１５】
さらに、エンドプレートに接する径方向面とスナップリング当接部とで軸方向断面Ｌ字状を形成する環状部材とすれば、環状部材を抜止めする穴用スナップリングを取付け易い。
【図面の簡単な説明】
【００１６】
【図１】本発明の第一実施形態のスナップリングの脱落防止構造を適用した摩擦係合装置の径方向半分の軸方向断面図。
【図２】図１の要部拡大図。
【図３】本発明の第一実施形態のスナップリングの脱落防止構造の一部を軸方向から見た図。
【図４】本発明の第二実施形態のスナップリングの脱落防止構造の要部拡大軸方向断面図。
【図５】本発明の第二実施形態のスナップリングの脱落防止構造の一部を軸方向から見た図。
【発明を実施するための形態】
【００１７】
本発明の実施例を、図１〜５を参照して説明する。但し、本発明はこの実施形態に限定されるものではない。
【００１８】
図１は、本発明の第一実施形態のスナップリングの脱落防止構造４０を適用した摩擦係合装置１０の径方向半分の軸方向断面図である。摩擦係合装置１０は、回転軸１２の軸心Ｘに対して上下対称である。
【００１９】
回転軸１２には、ハブ２０と押圧手段１４が取付けられており、回転軸１２とハブ２０及び押圧手段１４は一体的に回転するように構成されている。他方、ドラム３０は回転軸１２と同軸の他の回転軸（図示省略。）に取付けられている。ハブ２０に構成されている内側軸方向面２０ａの外周側には、プレッシャプレート２２ａ、中間プレート２２ｂ、エンドプレート２２ｃからなる相手プレート２２がスプライン嵌合している。他方、ドラム３０の外側軸方向面３０ａの内周側には、相手プレート２２同士の間に位置するように、摩擦板３２がスプライン嵌合している。
【００２０】
回転軸１２上に設けられる押圧手段１４のピストンが、油圧等によって軸方向に移動し、プレッシャプレート２２ａをエンドプレート２２ｃ方向に押すことによって、相手プレート２２と摩擦板３２が摩擦係合し、ハブ２０とドラム３０の間でトルクが伝達される。なお、摩擦板３２には、通常、相手プレート２２と摩擦係合する部分に摩擦材３２ａ（図２参照。）が貼付けられる。
【００２１】
図２に示すように、エンドプレート２２ｃの隣には、エンドプレート２２ｃを抜止めするスナップリング２４が設けられている。スナップリング２４は、ハブ２０の内側軸方向面２０ａの外周面上であって、エンドプレート２２ｃの摩擦板３２に対して反対側に周方向に設けられた溝２６に嵌込まれている。これにより、ピストンが作動して、エンドプレート２２ｃがプレッシャプレート２２ａによって押された場合、エンドプレート２２ｃはスナップリング２４によって押さえられるため、摩擦板３２を相手プレート２２で挟むことができる。
【００２２】
エンドプレート２２ｃは、スナップリング２４よりも径方向外側の位置に、スナップリング２４側の軸方向（図の右方向）への突部２３を具えている。突部２３は、エンドプレート２２ｃと一体的に、その周方向全体に亘って連続して設けられているものであるが、後述する環状部材４２が設けることができるものであれば、連続するものでなくてもよい。
【００２３】
エンドプレート２２ｃの突部２３の内側面２３ａとスナップリング２４の外周面２４ａとの間には、環状部材４２が設けられている。環状部材４２は、環状部材４２の溝部４２ｂと突部２３の溝部２３ｂに嵌るようにして、突部２３の溝部２３ｂに密着するように設けられる穴用スナップリング４４によって抜止めされることによりエンドプレート２２ｃに設けられている。具体的には、図３に示すように、エンドプレート２２ｃの突部２３の一部に切欠部２３ｃが設けられており、切欠部２３ｃに穴用スナップリング４４のプライヤ掛部４６が位置している。
【００２４】
環状部材４２は、突部２３よりも軸方向に突出しているスナップリング当接部４２ａを有する。スナップリング２４が遠心力によって拡開した場合、スナップリング２４の外周面２４ａはスナップリング当接部４２ａに接するため、スナップリング２４のそれ以上の拡開を防ぐことができる。これにより、スナップリング２４が内側軸方向面２０ａの外周面から脱落することを防止することができる（図２も参照。）。なお、スナップリング当接部４２ａの軸方向寸法は、エンドプレート２２ｃの軸方向可動範囲等を考慮して適宜設定すればよい。
【００２５】
図２に示されているスナップリングの脱落防止構造４０は、エンドプレート２２ｃを内側軸方向面２０ａの外周側に嵌込んだ後に、スナップリング２４を溝２６に嵌込み、その後、環状部材４２の溝部４２ｂに穴用スナップリング４４を嵌込んだ状態で環状部材４２を突部２３の内側面２３ａとスナップリング２４の外周面２４ａとの間に差込み、穴用スナップリング４４を突部２３の溝部２３ｂに嵌めることにより組立てることができる。
【００２６】
図４は、本発明の第二実施形態のスナップリングの脱落防止構造４０ａの要部拡大図である。摩擦係合装置及び脱落防止構造の基本的構成は、摩擦係合装置１０と同様であるから、その部分については、説明を省略する。
【００２７】
スナップリングの脱落防止構造４０ａの環状部材４３は、エンドプレート２２ｃに接する径方向面４３ｂとスナップリング当接部４３ａとで軸方向断面Ｌ字状を形成している。環状部材４３は、径方向面４３ｂが穴用スナップリング４４ａによって抜止めされることにより、エンドプレート２２ｃの突部２５の内側面２５ａとスナップリング２４の外周面２４ａとの間に設けられている。詳細には、環状部材４３は、図５に示すように、エンドプレート２２ｃの突部２５の内側面２５ａに設けられる溝部２５ｂに嵌込まれる穴用スナップリング４４ａによって抜止めされている。環状部材４３のような軸方向断面Ｌ字状を形成するものであれば、穴用スナップリング４４ａのプライヤ掛部４６ａが径方向内側に位置しているものを適用し易い。なお、スナップリング当接部４３ａは、突部２５よりも軸方向に突出している（図４参照。）。
【００２８】
図４に示されているスナップリングの脱落防止構造４０ａは、エンドプレート２２ｃを内側軸方向面２０ａの外周側に嵌込んだ後に、スナップリング２４を溝２６に嵌込み、その後、環状部材４３を突部２５の内側面２５ａとスナップリング２４の外周面２４ａとの間に差込み、穴用スナップリング４４ａを突部２５の溝部２５ｂに嵌めることにより組立てることができる。
【００２９】
以上に説明した環状部材は、完全な円環状に限らず、一部に切欠きがあるものでもよく、上記に説明したスナップリング以外の方法でエンドプレートに取付けることも可能である。また、中間プレートを有しないタイプの相手プレートであっても、当然、本発明を適用することができる。
【００３０】
なお、本発明のスナップリングの脱落防止構造と同様の構成は、エンドプレートを抜止めするスナップリングだけではなく、摩擦係合装置に使用される他の軸用のスナップリングの脱落防止用として適用することもできる。
【００３１】
以上説明したように、本発明によれば、簡素な構造で組立て易く、スナップリングの脱落を確実に防止することができるスナップリングの脱落防止構造及びこれを具えた摩擦係合装置を提供することができる。
【符号の説明】
【００３２】
１０    摩擦係合装置
１２    回転軸
１４    押圧手段
２０    ハブ
２０ａ  内側軸方向面
２２ａ  プレッシャプレート（相手プレート）
２２ｃ  エンドプレート（相手プレート）
２３，２５  突部
２３ａ，２５ａ  突部の内側面
２４    スナップリング
２４ａ  スナップリングの外周面
２６    溝
３０    ドラム
３０ａ  外側軸方向面
４０，４０ａ  スナップリングの脱落防止構造
４２，４３  環状部材
４２ａ，４３ａ  スナップリング当接部
４３ｂ    径方向面
４４，４４ａ  穴用スナップリング
【図１】
2016125503.tif 000003
【図２】
2016125503.tif 000004
【図３】
2016125503.tif 000005
【図４】
2016125503.tif 000006
【図５】
2016125503.tif 000007